(57)【要約】【課題】  有機発光ダイオードの画素構造を組み込んだ発光システムを提供する。【解決手段】  有機発光ダイオード（ＯＬＥＤ）の画素構造を含む発光システムであって、前記画素構造は、第１ＯＬＥＤを含む第１サブピクセル域、および第２ＯＬＥＤと、前記第１と第２ＯＬＥＤを制御する電子部品を含む第２制御回路を含む第２サブピクセル域を含む発光システム。【選択図】      図７
2007149640.tif 000002
【特許請求の範囲】
【請求項１】
有機発光ダイオード（ＯＬＥＤ）の画素構造を含む発光システムであって、
前記画素構造は、
第１の有機発光ダイオード（第１ＯＬＥＤ）を含む第１サブピクセル域、および
第２の有機発光ダイオード（第２ＯＬＥＤ）と、前記第１の有機発光ダイオード（第１ＯＬＥＤ）と前記第２の有機発光ダイオード（第２ＯＬＥＤ）を制御する電子部品を含む第２制御回路を含む第２サブピクセル域
を含む発光システム。
【請求項２】
前記第１サブピクセル域は、前記第１の有機発光ダイオード（第１ＯＬＥＤ）を制御する電子部品を含まない請求項１に記載のシステム。
【請求項３】
ＯＬＥＤの画素構造の装置を含む発光システムであって、
第１の有機発光ダイオード（第１ＯＬＥＤ）を含む第１サブピクセル域、
第２の有機発光ダイオード（第２ＯＬＥＤ）と第２制御回路を含み、前記第２制御回路は、前記第２の有機発光ダイオード（第２ＯＬＥＤ）を制御する電子部品と、前記第１の有機発光ダイオード（第１ＯＬＥＤ）、第３の有機発光ダイオード（第３ＯＬＥＤ）、第４の有機発光ダイオード（第４ＯＬＥＤ）の任意の１つ、または前記第１、第３と第４の有機発光ダイオード（第１、第３及び第４ＯＬＥＤ）の組み合わせを制御する電子部品を含む第２サブピクセル域、
第３の有機発光ダイオード（第３ＯＬＥＤ）を含む第３サブピクセル域、および
第４の有機発光ダイオード（第４ＯＬＥＤ）を含む第４サブピクセル域を含む発光システム。
【請求項４】
前記第１サブピクセル域は、赤色サブピクセル域、緑色サブピクセル域、または青色サブピクセル域であり、前記第２サブピクセル域は、白色サブピクセル域である請求項３に記載のシステム。
【請求項５】
前記第１サブピクセル域は、電子部品を含まない請求項３に記載のシステム。
【請求項６】
前記第２制御回路は、前記第１の有機発光ダイオード（第１ＯＬＥＤ）と第２の有機発光ダイオード（第２ＯＬＥＤ）を制御する電子部品を含む請求項３に記載のシステム。
【請求項７】
前記第２制御回路は、前記第１、第２、第３と、第４の有機発光ダイオード（第１、第２、第３及び第４ＯＬＥＤ）を制御する電子部品を含む請求項３に記載のシステム。
【請求項８】
前記第１サブピクセル域は、前記第１の有機発光ダイオード（第１ＯＬＥＤ）を制御する第１制御回路を更に含む請求項３に記載のシステム。
【請求項９】
前記第１制御回路は、前記第１の有機発光ダイオード（第１ＯＬＥＤ）を制御するスイッチトランジスタを含み、前記第２制御回路は、前記第１の有機発光ダイオード（第１ＯＬＥＤ）を制御するコンデンサと、駆動トランジスタを含む請求項８に記載のシステム。
【請求項１０】
前記第１サブピクセル域は、赤色サブピクセル域、緑色サブピクセル域、または青色サブピクセル域であり、前記第２サブピクセル域は、白色サブピクセル域である請求項９に記載のシステム。
【請求項１１】
前記第１サブピクセル域は、青色サブピクセル域である請求項１０に記載のシステム。
【請求項１２】
ＯＬＥＤの画素構造の装置を含む発光システムであって、
第１の有機発光ダイオード（第１ＯＬＥＤ）と前記第１の有機発光ダイオード（第１ＯＬＥＤ）を制御する第１制御回路を含む第１サブピクセル域、
第２の有機発光ダイオード（第２ＯＬＥＤ）と第２制御回路を含み、前記第２制御回路は、前記第２の有機発光ダイオード（第２ＯＬＥＤ）を制御する電子部品と、前記第１の有機発光ダイオード（第１ＯＬＥＤ）、第３の有機発光ダイオード（第３ＯＬＥＤ）、第４の有機発光ダイオード（第４ＯＬＥＤ）の任意の１つ、または前記第１、第３と第４の有機発光ダイオード（第１、第３及び第４ＯＬＥＤ）の組み合わせを制御する電子部品を含む第２サブピクセル域、
第３の有機発光ダイオード（第３ＯＬＥＤ）と前記第３の有機発光ダイオード（第３ＯＬＥＤ）を制御する第３制御回路を含む第３サブピクセル域、および
第４の有機発光ダイオード（第４ＯＬＥＤ）と前記第４の有機発光ダイオード（第４ＯＬＥＤ）を制御する第４制御回路を含む第４サブピクセル域を含む請求項３に記載のシステム。
【請求項１３】
前記第１サブピクセル域は、赤色サブピクセル域、緑色サブピクセル域、または青色サブピクセル域であり、前記第２サブピクセル域は、白色サブピクセル域である請求項１２に記載のシステム。
【請求項１４】
前記第２制御回路は、前記第１と第２の有機発光ダイオード（第１及び第２ＯＬＥＤ）を制御する電子部品を含む請求項１２に記載のシステム。
【請求項１５】
前記第２制御回路は、前記第１、第２、第３と、第４の有機発光ダイオード（第１、第２、第３及び第４ＯＬＥＤ）を制御する電子部品を含む請求項１２に記載のシステム。
【請求項１６】
前記システムは、ディスプレイ装置を更に含み、且つ、
前記画素構造は前記ディスプレイ装置の一部を形成する請求項１に記載のシステム。
【請求項１７】
前記システムは、前記ディスプレイ装置を含む電子装置を更に含む請求項１６に記載のシステム。
【請求項１８】
前記ディスプレイ装置に接続され、それによって表示される画像を表示するコントローラを更に含む請求項１６に記載のシステム。
【請求項１９】
前記ディスプレイ装置によって表示される画像を表示する装置を更に含む請求項１６に記載のシステム。
【発明の詳細な説明】
【技術分野】
【０００１】
本発明は、有機発光ダイオード（ＯＬＥＤ）に関するものである。
【背景技術】
【０００２】
ＯＬＥＤディスプレイは、有機化合物が発光材料として用いられた、光を発光することができるフラットディスプレイである。ＯＬＥＤディスプレイは、コンパクトさ、軽量さ、高視野角、高コントラストと、高反応速度などの利点を提供することができる。
【０００３】
図１を参照すると、従来のＯＬＥＤディスプレイのサブピクセルが概略的に表されている。ＯＬＥＤディスプレイは、複数の画素を含み、それぞれの画素は複数のサブピクセル域１１を含む。電力線１２、データライン１３と、スキャンライン１４が表されている。サブピクセル域１１は、発光域１５と非発光域１６を含む。
【０００４】
発光域１５は、電気エネルギー（電力線によって提供された）を光エネルギーに変換できるＯＬＥＤを含む。このＯＬＥＤは、有機化合物の薄膜より構成される。非発光域１６は、発光域１５のＯＬＥＤを制御する制御回路を有する。
【０００５】
制御回路は、通常、ダイオード、トランジスタ、コンデンサと、その他の電子部品を含む。非発光域１６が光を全く発しないことから、より小さい面積を有することが好ましい。サブピクセル域１１の面積に対する発光域１５の面積の比率は、開口率と言われ、開口率が高いほど、輝度も高くなる。
【０００６】
図２Ａを参照すると、従来のフルカラーＯＬＥＤディスプレイの画素構造が概略的に表わされている。フルカラーのＯＬＥＤディスプレイでは、各画素は、赤色サブピクセル域１７、緑色サブピクセル域１８と、青色サブピクセル域１９を含む。赤色サブピクセル域１７では、発光域２０は、Ｒ−ＯＬＥＤを有し、非発光域２１は、Ｒ−ＯＬＥＤの制御回路を有する。緑色と青色サブピクセル域１８、１９では、赤色サブピクセル域１７に記載の類似の構造が提供される。
【０００７】
サブピクセル域１７、１８、１９の制御回路により、ＯＬＥＤの輝度が制御され、フルカラーの画像表示を達成することができる。現在利用されている赤色、緑色と、青色ＯＬＥＤの発光効率が同じでなく、それに対応する発光域がほぼ同じであることから、発光効率が比較的乏しいＯＬＥＤは、その他のＯＬＥＤと同じ輝度を有するために、比較的大きな電気エネルギーが供給されなければならない。
【０００８】
図２Ｂを参照すると、もう１つの従来のフルカラーＯＬＥＤディスプレイの画素構造が概略的に表されている。このフルカラーのＯＬＥＤディスプレイでは、各画素は、赤色サブピクセル域２２、緑色サブピクセル域２３、青色サブピクセル域２４と、白色サブピクセル域２５を含む。白色サブピクセル域２５では、発光域２６は、Ｗ−ＯＬＥＤを有し、非発光域２７は、Ｗ−ＯＬＥＤの制御回路を有する。
【０００９】
図２Ａでは、白色画像を表示したい場合、赤色、緑色、青色サブピクセル域１７、１８と、１９が組み合わされなければならない。しかし、図２Ｂでは、白色画像を表示したい場合、白色サブピクセル域２５のみが発光を求められ、赤色、緑色、青色サブピクセル域２２、２３と、２４は、発光をする必要がない。よって、白色画像が表示されている時、図２ＢのＲＧＢＷ ＯＬＥＤディスプレイは、通常、図２ＡのＲＧＢ ＯＬＥＤディスプレイより少ない消費電力が求められる。しかし、非発光域の制御回路が固定された面積でなければならないことから、図２ＢのＲＧＢＷ ＯＬＥＤディスプレイは、より小さい発光域を有することになり、即ち、図２ＡのＲＧＢ ＯＬＥＤディスプレイの開口率より低い開口率を有する。
【発明の開示】
【発明が解決しようとする課題】
【００１０】
発光システムを提供する。
【課題を解決するための手段】
【００１１】
発光システムの実施例は、ＯＬＥＤの画素構造を含む。画素構造は、第１ＯＬＥＤを含む第１サブピクセル域と、第２ＯＬＥＤと第１と第２ＯＬＥＤを制御する電子部品を含む第２制御回路を含む第２サブピクセル域を含む。
【００１２】
発光システムのもう１つの実施例では、ＯＬＥＤの画素構造は、青色ＯＬＥＤを含む青色サブピクセル域と、白色ＯＬＥＤを含む白色サブピクセル域と、第２制御回路を含む。第２制御回路は、青色と白色ＯＬＥＤを制御する電子部品を含む。青色サブピクセル域は、電子部品を含まないことができる。
【発明の効果】
【００１３】
本発明の実施例では、Ｂ−ＯＬＥＤを制御する電子部品をＷサブピクセル域に配置することで、低い発光効率を有するＢ−ＯＬＥＤの面積が増加され、よって、Ｂサブピクセル域のＢ−ＯＬＥＤの全発光効率が向上されることができる。
【発明を実施するための最良の形態】
【００１４】
本発明についての目的、特徴、長所が一層明確に理解されるよう、以下に実施形態を例示し、図面を参照にしながら、詳細に説明する。
【実施例】
【００１５】
図３を参照すると、ＯＬＥＤディスプレイの画素構造の実施例１が概略的に表されている。ＯＬＥＤディスプレイの画素構造３は、第１サブピクセル域３１と、第２サブピクセル域３２を含む。第１サブピクセル域３１は、第１ＯＬＥＤ３３を含むが制御回路を含まない。第２サブピクセル域３２は、第２ＯＬＥＤ３４と制御回路３５を含む。制御回路３５は、第１制御回路部３５ａと、第２制御回路部３５ｂを含む。第１制御回路部３５ａは、第１ＯＬＥＤ３３を制御する電子部品を含み、第２制御回路部３５ｂは、第２ＯＬＥＤ３４を制御する電子部品を含む。
【００１６】
この実施例では、第１ＯＬＥＤ３３の発光効率は、第２ＯＬＥＤ３４の発光効率より低いことができる。例えば、第１ＯＬＥＤ３３は、青色ＯＬＥＤであることができ、第２ＯＬＥＤ３４は、赤色、緑色、または白色ＯＬＥＤであることができる。第１ＯＬＥＤ３３を制御する第１制御回路部３５ａが第１サブピクセル域３１でなく、第２サブピクセル域３２に配置されることから、第１ＯＬＥＤ３３の面積は、従来技術で用いられたのに比べ、増加されることができる。これは、第１サブピクセル域３１の第１ＯＬＥＤ３３の輝度と寿命を増加することができる。
【００１７】
図４を参照すると、ＯＬＥＤディスプレイの画素３の制御回路３５の実施例１を概略的に表している。上述のように、制御回路部３５ａと３５ｂの両方は、第２サブピクセル域３２に配置される。第１制御回路部３５ａは、第１スイッチトランジスタ４１、第１コンデンサ４３と、第１ＯＬＥＤ３３を制御するように用いられる第１駆動トランジスタ４５を含む。第２制御回路部３５ｂは、第２スイッチトランジスタ４２、第２コンデンサ４４と、第２ＯＬＥＤ３４を制御するように用いられる第２駆動トランジスタ４６を含む。
【００１８】
スキャンライン上の信号Ｖｓｃａｎ１が第１スイッチトランジスタ４１のゲートに伝送された時、データライン上の信号Ｖｄａｔａ１は、第１スイッチトランジスタ４１によって第１コンデンサ４３に伝送されて保存され、第１駆動トランジスタ４５をオンにする。第１駆動トランジスタ４５は、電圧レベルＶｄｄ１を有する電力線と第１ＯＬＥＤ３３を有し、よって、駆動回路を第１ＯＬＥＤ３３に提供する。第１ＯＬＥＤ３３は、電圧レベルＶｓｓ１にも接続され、駆動電流を受ける。第１ＯＬＥＤ３３が駆動電流を受けた時、電力線より提供された電気エネルギーは、光エネルギーに変換される。上述のトランジスタでは、アモルファスシリコン（ａ−Ｓｉ）薄膜トランジスタ（ＴＦＴｓ）、高温ポリシリコンＴＦＴｓ、低温ポリシリコンＴＦＴｓと、単結晶シリコンＴＦＴｓを用いることができる。第１スイッチトランジスタ４１、第１コンデンサ４３及び第１駆動トランジスタ４５が第２サブピクセル域３２に配置されることで、従来技術に比べ、第１ＯＬＥＤ３３の面積を増加することができる。
【００１９】
図５を参照すると、ＯＬＥＤディスプレイの画素構造の実施例２が概略的に表されている。ＯＬＥＤディスプレイの画素構造５は、第１サブピクセル域５１と、第２サブピクセル域５２を含む。第１サブピクセル域５１は、第１ＯＬＥＤ５３と、第１ＯＬＥＤ５３を制御する電子部品を有する第１制御回路５５を含む。第２サブピクセル域５２は、第２ＯＬＥＤ５４と第２制御回路５６を含む。第２制御回路５６は、第１ＯＬＥＤ５３を制御する少なくとも１つの電子部品と、第２ＯＬＥＤ５４を制御する少なくとも１つの電子部品を含む。例えば、第２サブピクセル域５２に配置された第２制御回路５６は、第１ＯＬＥＤ５３を制御する第１制御回路部５６ａと、第２ＯＬＥＤ５４を制御する第２制御回路部５６ｂを含む。この実施例では、第１ＯＬＥＤ５３の発光効率は、第２ＯＬＥＤ５４の発光効率より低いことができる。例えば、第１ＯＬＥＤ５３は、青色ＯＬＥＤであることができ、第２ＯＬＥＤ５４は、赤色、緑色、または白色ＯＬＥＤであることができる。第１ＯＬＥＤ５３を制御する少なくとも１つの電子部品は、第２サブピクセル域５２に配置される。よって、第１ＯＬＥＤ５３の面積は、従来のＯＬＥＤに比べ、増加されることができる。よって、第１ＯＬＥＤ５３の輝度と寿命は、改善されることができる。
【００２０】
図６を参照すると、ＯＬＥＤディスプレイの画素５の制御回路が概略的に表されている。第１制御回路５５は、第１スイッチトランジスタ６１を含む。第２制御回路５６は、第１コンデンサ６３と、第１駆動トランジスタ６５を含む第１制御回路部５６ａと、第２スイッチトランジスタ６２、第２コンデンサ６４と、第２駆動トランジスタ６６を含む第２制御回路部５６ｂを含む。第１制御回路５５と第１制御回路部５６ａは、第１ＯＬＥＤ５３を制御するように用いられる。第２制御回路部５６ｂは、第２ＯＬＥＤ５４を制御するように用いられる。
【００２１】
図７を参照すると、ＯＬＥＤディスプレイの画素構造の実施例３が表されている。ＯＬＥＤディスプレイの画素構造７は、Ｒサブピクセル域７１と、Ｇサブピクセル域７２、Ｂサブピクセル域７３と、Ｗサブピクセル域７４を含む。Ｒサブピクセル域７１は、Ｒ−ＯＬＥＤ７１１と、制御回路７１２を含む。Ｇサブピクセル域７２は、Ｇ−ＯＬＥＤ７２１と、制御回路７２２を含む。Ｂサブピクセル域７３は、Ｂ−ＯＬＥＤ７３１と、制御回路７３２を含む。Ｗサブピクセル域７４は、Ｗ−ＯＬＥＤ７４１と、制御回路７４２を含む。
【００２２】
この実施例に基づいて、制御回路７１２は、スイッチトランジスタ、駆動トランジスタと、コンデンサを含む全電子部品を含み、Ｒ−ＯＬＥＤ７１１を制御する。制御回路７２２は、スイッチトランジスタ、駆動トランジスタと、コンデンサを含む全電子部品を含み、Ｇ−ＯＬＥＤ７２１を制御する。しかし、制御回路７３２は、一部の電子部品のみを含んでＢ−ＯＬＥＤ７３１を制御する。Ｂ−ＯＬＥＤ７３１を制御するその他の電子部品は、Ｗサブピクセル域７４に配置される。例えば、図７に示すように、Ｂ−ＯＬＥＤ７３１を制御する１つのトランジスタのみがＢサブピクセル域７３に配置され、Ｂ−ＯＬＥＤ７３１を制御するトランジスタとコンデンサは、Ｗサブピクセル域７４に配置される。よって、Ｗサブピクセル域７４は、Ｂ−ＯＬＥＤ７３１とＷ−ＯＬＥＤ７４１の両方を制御する制御回路７４２を含む。
【００２３】
よって、４色のサブピクセル域の中で、Ｂサブピクセル域７３に配置された制御回路７３２は、面積が最も小さく、Ｗサブピクセル域７４に配置された制御回路７４２は、面積が最も大きい。一般的に、４色のＯＬＥＤ材料の中で、白色ＯＬＥＤが最も高い発光効率を有し、青色が最も低い発光効率を有する。よって、Ｂ−ＯＬＥＤを制御する電子部品を再配置（ｅ.ｇ．Ｂ−ＯＬＥＤを制御する電子部品を白色サブピクセル域に配置）することで、Ｂ−ＯＬＥＤの面積が増加され、Ｗ−ＯＬＥＤの面積が減少される。よって、Ｂサブピクセル域のＢ−ＯＬＥＤの全発光効率と、Ｗサブピクセル域のＷ−ＯＬＥＤの全発光効率が最適に調整されることができる。
【００２４】
図８は、ディスプレイ装置８０として実施されるシステムの実施例を表している。ディスプレイ装置８０は、図７に示す画素構造７のような画素構造を組み込んだディスプレイパネル８１を含む。ディスプレイパネル８１は、コントローラ８２に接続することができる。コントローラ８２は、ソースとゲート駆動回路（未表示）を含むことができ、ディスプレイパネル８１を制御してディスプレイ装置８０を操作する。
【００２５】
図９は、電子装置９０として実施されるシステムの実施例を表している概略図である。電子装置９０は、図８に示すディスプレイ装置８０のようなディスプレイ装置を組み込む。入力装置９１は、ディスプレイ装置８０のコントローラ８２に接続される。入力装置９１は、画像データをコントローラ８２に入力して画像を表示するプロセッサ、または同種のものを含むことができる。電子装置９０は、ＰＤＡ、ノート型パソコン、携帯用コンピュータ、携帯電話、またはディスプレイモニタ装置、または例えばデスクトップ型コンピュータなどの携帯できない装置であることができる。
【００２６】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２７】
【図１】従来のＯＬＥＤディスプレイのサブピクセル構造を概略的に表している。
【図２Ａ】従来のフルカラーＯＬＥＤディスプレイの画素構造を概略的に表している。
【図２Ｂ】もう１つの従来のフルカラーＯＬＥＤディスプレイの画素構造を概略的に表している。
【図３】ＯＬＥＤディスプレイの実施例１の画素構造を概略的に表している。
【図４】ＯＬＥＤディスプレイの画素構造の制御回路の実施例を概略的に表している。
【図５】ＯＬＥＤディスプレイの実施例２の画素構造を概略的に表している。
【図６】図５のＯＬＥＤディスプレイの画素構造の制御回路を概略的に表している。
【図７】ＯＬＥＤディスプレイの画素構造の実施例３を概略的に表している。
【図８】ディスプレイ装置の実施例を概略的に表している。
【図９】電子装置の実施例を概略的に表している。
【符号の説明】
【００２８】
３  画素
５、７画素構造
１１  サブピクセル
１２  電力線
１３  データライン
１４  スキャンライン
１５、２０、２６  発光域
１６、２１、２７  非発光域
１７、２２、７１  赤色サブピクセル
１８、２３、７２  緑色サブピクセル
１９、２４、７３  青色サブピクセル
２５、７４  白色サブピクセル
３１  第１サブピクセル
３２  第２サブピクセル
３３、５３  第１ＯＬＥＤ
３４、５４  第１ＯＬＥＤ
３５  制御回路
３５ａ  第１制御回路部
３５ｂ  第２制御回路部
４１、６１  第１スイッチトランジスタ
４２、６２  第２スイッチトランジスタ
４３、６３  第１コンデンサ
４４、６４  第２コンデンサ
４５、６５  第１駆動トランジスタ
４６、６６  第２駆動トランジスタ
５１  第１サブピクセル域
５２  第２サブピクセル域
５５  第１制御回路
５６  第２制御回路
５６ａ  第１制御回路部
５６ｂ  第２制御回路部
８０  ディスプレイ装置
８１  ディスプレイパネル
８２  コントローラ
９０  電子装置
９１  入力装置
７１１  赤色ＯＬＥＤ
７１２、７２２、７３２、７４２  制御回路
７２１  緑色ＯＬＥＤ
７３１  青色ＯＬＥＤ
７４１  白色ＯＬＥＤ
Ｖｓｃａｎ１、Ｖｓｃａｎ２、Ｖｄａｔａ１、Ｖｄａｔａ２  信号
Ｖｄｄ１、Ｖｄｄ２、Ｖｓｓ１、Ｖｓｓ２  電源
【図１】
2007149640.tif 000003
【図２Ａ】
2007149640.tif 000004
【図２Ｂ】
2007149640.tif 000005
【図３】
2007149640.tif 000006
【図４】
2007149640.tif 000007
【図５】
2007149640.tif 000008
【図６】
2007149640.tif 000009
【図７】
2007149640.tif 000010
【図８】
2007149640.tif 000011
【図９】
2007149640.tif 000012